(57)【要約】【課題】容器が非常に強く圧搾されて、多量の流体が調合室に流入し、調合室が容量超過となる危険を取り除く、或いは少なくとも減少させることのできる調合装置を提供することにある。【解決手段】コンテナからの流体の量を調合し、コンテナと流体で連結すると共に、調合室に放出する少なくとも１つの放出口を具備した調合部材と、調合部材と流動性緊密に連結すると共に、少なくとも１つの制御口を具備した制御部材とから成り、異なる調合を定義するために放出口と制御口の位置を相互に合わせて配置するために、調合部材と制御部材は互いに関して変位可能で、特に回転可能である流体の調合装置であって、調合室とコンテナの間には中間コンテナが設置され、中間コンテナは大きくてせいぜい調合室の体積に等しい保持容量を有し、コンテナと調合部材を流体で連結している。【選択図】図１
2009526712.tif 000002
【特許請求の範囲】
【請求項１】
コンテナからの流体の量を調合する装置であり、
前記コンテナと流体で連結すると共に、調合室に放出する少なくとも１つの放出口を具備した調合部材と、
前記調合部材と流動性緊密に連結すると共に、少なくとも１つの制御口を具備した制御部材とから成り、
異なる調合を定義するために前記放出口と前記制御口の位置を相互に合わせて配置するために、前記調合部材と前記制御部材は互いに関して変位可能で、特に回転可能である流体の調合装置であって、
前記調合室と前記コンテナの間には中間コンテナが設置され、前記中間コンテナは大きくてせいぜい前記調合室の体積に等しい保持容量を有し、前記コンテナと前記調合部材を流体で連結していることを特徴とする調合装置。
【請求項２】
前記中間コンテナはカップ状の形状をしており、底部と前記底部から伸びる少なくとも１つの側壁を具備し、前記側壁には前記保持容量に境界をつける少なくとも１つの空出口が形成されている請求項１に記載の調合装置。
【請求項３】
前記中間コンテナの前記側壁には少なくとも一つの充足口が形成され、前記充足口は前記底部からの距離が前記空出口より離れた位置に設置されている請求項２に記載の調合装置。
【請求項４】
前記調合部材は前記調合室の底部に固定され、前記制御部材は前記調合室に回転可能に収容されていることを特徴とする請求項１乃至３のいずれかに記載の調合装置。
【請求項５】
前記調合部材が前記調合室の前記底部に統合して形成される請求項４に記載の調合装置。
【請求項６】
前記調合部材が前記中間コンテナにおいて伸びる上昇管に連結している請求項１乃至５のいずれかに記載の調合装置。
【請求項７】
前記上昇管が前記調合室の前記底部及び前記調合部材に統合して形成されている請求項５又は６に記載の調合装置。
【請求項８】
前記調合室の前記底部は、前記中間コンテナの前記底部から離れた前記中間コンテナの開口側を閉じるようになっている請求項４乃至７のいずれかに記載の調合装置。
【請求項９】
前記調合室と前記中間コンテナが統合して形成される請求項４乃至８のいずれかに記載の調合装置。
【請求項１０】
前記制御部材は、前記調合室を少なくとも部分的に閉じるカバーに連結されている請求項１乃至９のいずれかに記載の調合装置。
【請求項１１】
前記制御部材は前記カバーに統合して形成される請求項１０に記載の調合装置。
【請求項１２】
前記調合室は少なくとも１つの放出口を具備し、前記カバーは前記放出口を閉じるための手段を保持している請求項１０又は１１に記載の調合装置。
【請求項１３】
前記カバーと前記調合室は、互いに作用して前記調合装置の子供を保護するための施錠手段を具備している請求項１２に記載の調合装置。
【請求項１４】
前記カバーと前記調合室は、少なくとも１つの調合位置を指示するようになっている、互いの作用で停止する停止部材を具備している請求項１０乃至１３のいずれかに記載の調合装置。
【発明の詳細な説明】
【技術分野】
【０００１】
本発明は、コンテナからの流体の量を調合する流体の調合装置に関し、特にコンテナと流体で連結すると共に、調合室に放出する少なくとも１つの放出口を具備した調合部材と、調合部材と流動性緊密に連結すると共に、少なくとも１つの制御口を具備した制御部材とから成り、異なる調合を定義するために放出口と制御口の位置を相互に合わせて配置するために、前記調合部材と前記制御部材は互いに関して変位可能で、特に回転可能である流体の調合装置に関する。このような流体の調合装置は、オランダ特許１０１１４７７から公知となっている。
【背景技術】
【０００２】
本明細書において、流体という用語は、非気体の流体状の媒体、即ち液体であって、最終的に泡状の固体物質として散布されるものを意味すると解する。
【０００３】
前述の先行特許出願は、例えば射出成形、ブロー成形によって容器と統合して形成される調合室を備える、液体で満たされたプラスチックの絞り出し容器の散布蓋について記述している。前記調合室は、その中に開口部を具備した底部と、そこから底部の内側に向き、容器へと突き出る浸入管に連結した円筒形の上昇管を具備している。上昇管に合わせて調合室の底部には調合管が設置され、調合管は同様に円筒形で、異なる高さに形成された一組の放出口を具備している。これらの開口部は、高さ方向だけでなく、同一の高さ方向にも分布するように配列される。この調合管へと突き出る制御管は、同様に円筒形であり、その円筒壁の中に溝を備え、調合室を閉じる回転可能なカバーに固定されている。制御管と調合管は互いに関して回転可能になっている。
【０００４】
カバーを回転させ、それと共に制御管を回転させることによって、調合管の選ばれた放出口を制御管の溝の位置に合わせるように配置することができる。容器が圧搾されると、液体は侵入管を通って上昇管へと押し上げられ、次に制御管の円筒壁の溝へと流れる。ここから液体は調合管の放出口を通って、調合室へと流れる。プラスチックの絞り出し容器への圧力が取り除かれると、容器の内側からの圧力のために、液体が調合室から放出口、溝、上昇管及び浸入管を通って吸い戻される。この液体の吸い戻しは、空気が吸い込まれるようになる瞬間に終了する。このようになるのは、調合管の関連する放出口が、調合室の液体の高さを超えた場合である。このようにして、溝の位置に合わせて配置される放出口の高さの選択は、プラスチックの絞り出し容器から放出された後に調合室に残っている液体の高さを決定し、その後この液体は放出して使用される。
【０００５】
この先行文献に記載された調合装置は、簡単な方法で、相対的に非常に正確に液体の調合ができ、例えば動物に飼料や医薬を与えたり、要求された洗剤の量を計って割り当てること等に使用することが可能である。
【０００６】
この公知の調合装置の欠点は、意図しない超過の流体が調合される危険が有ることである。このようなことは、容器が非常に強く圧搾されて、多量の流体が調合室に流入し、即ち、いわば「容量超過」となったときに発生する。
【発明の開示】
【発明が解決しようとする課題】
【０００７】
本発明は上述のような事情によってなされたものであり、本発明の目的は、上述のような様式の調合装置を改良して、上述の危険を取り除く、或いは少なくとも減少させることにある。
【課題を解決するための手段】
【０００８】
本発明によると、本発明の目的は、調合装置において、調合室とコンテナの間に中間コンテナを設置し、中間コンテナは大きくてせいぜい調合室の体積に等しい保持容量を有すると共に、コンテナと調合部材を流体で連結するようにすることによって達成される。
【０００９】
本発明に係る調合装置の好適な実施形態は、従属項に記述されている。
【００１０】
本発明は、コンテナからの流体の量を調合する装置であり、前記コンテナと流体で連結すると共に、調合室に放出する少なくとも１つの放出口を具備した調合部材と、前記調合部材と流動性緊密に連結すると共に、少なくとも１つの制御口を具備した制御部材とから成り、異なる調合を定義するために前記放出口と前記制御口の位置を相互に合わせて配置するために、前記調合部材と前記制御部材は互いに関して変位可能で、特に回転可能である流体の調合装置に関し、本発明の上記目的は、前記調合室と前記コンテナの間には中間コンテナが設置され、前記中間コンテナは大きくてせいぜい前記調合室の体積に等しい保持容量を有し、前記コンテナと前記調合部材を流体で連結していることによって達成される。
【００１１】
本発明の上記目的は、前記中間コンテナはカップ状の形状をしており、底部と前記底部から伸びる少なくとも１つの側壁を具備し、前記側壁には前記保持容量に境界をつける少なくとも１つの空出口が形成されていることによって、或いは前記中間コンテナの前記側壁には少なくとも一つの充足口が形成され、前記充足口は前記底部からの距離が前記空出口より離れた位置に設置されていることによって、或いは前記調合部材は前記調合室の底部に固定され、前記制御部材は前記調合室に回転可能に収容されていることによって、或いは前記調合部材が前記調合室の前記底部に統合して形成されることによって、或いは前記調合部材が前記中間コンテナにおいて伸びる上昇管に連結していることによって、或いは前記上昇管が前記調合室の前記底部及び前記調合部材に統合して形成されていることによって、或いは前記調合室の前記底部は、前記中間コンテナの前記底部から離れた前記中間コンテナの開口側を閉じるようになっていることによって、或いは前記調合室と前記中間コンテナが統合して形成されることによって、或いは前記制御部材は、前記調合室を少なくとも部分的に閉じるカバーに連結されていることによって、或いは前記制御部材は前記カバーに統合して形成されることによって、或いは前記調合室は少なくとも１つの放出口を具備し、前記カバーは前記放出口を閉じるための手段を保持していることによって、或いは前記カバーと前記調合室は、互いに作用して前記調合装置の子供を保護するための施錠手段を具備していることによって、或いは前記カバーと前記調合室は、少なくとも１つの調合位置を指示するようになっている、互いの作用で停止する停止部材を具備していることによって、より効果的に達成される。
【発明の効果】
【００１２】
本発明に係る調合装置によると、調合室とコンテナの間に中間コンテナを設置することによって、コンテナから調合室に達する流体の量を制限し、「容量超過」の危険が有効な方法で取り除かれる。これは当然、正確な調合を行う上で利点となる。これはコンテナの中身が人間や環境に有害で、そのため意図しない容量超過が健康に有害となる場合に特に重要である。
【発明を実施するための最良の形態】
【００１３】
以下に、図面を参照しながら、本発明の実施形態をより詳細に説明する。
【００１４】
コンテナ２からの流体の量を調合する装置１は、コンテナ２と流体で連結しており、調合室４に放出する多数の放出口５を具備した調合部材３を具備している。これらの開口部５は、調合部材３の高さ方向だけでなく、同一の高さ方向にも分布するように配列される。調合装置１は、更に調合部材３に流動性緊密に連結されると共に、溝となる制御口７を具備した制御部材６を具備している。調合部材３と制御部材６は、互いに相対的に変位可能である。図示されている実施形態ではこれらは互いに回転可能となっている。その結果、以下に説明されるように、調合を定義するために、選択される放出口５は制御口７に位置が合うように配置される。その他に、調合部材３と制御部材６を、別な方法で互いに相対的に変位可能にしても良い。例えば、調合部材３及び制御部材６の長い方向に互いに滑るようにしても良い。
【００１５】
本発明によると、大きくてもせいぜい調合室４の体積と等しい保持容量を有する中間コンテナ８が、調合室４とコンテナ２の内側の間に設置されている。この中間コンテナ８は、コンテナ２の内側と調合部材３の両方に流体で連結している。中間コンテナ８はここではカップ状の形状をしており、底部９と、底部９から伸びる円筒形の側壁１０を具備している。この側壁１０に、保持容量に境界をつける空出口１１が形成される。中間コンテナ８の側壁１０には、空出口１１より底部９から離れた位置にある充足口１２も形成されている。
【００１６】
図示される実施形態では、調合部材３は調合室４の底部１３に固定され、その上、統合して形成される。逆に、制御部材６は調合室４内で回転可能であり、より詳細には調合部材３内に収容されている。調合部材３は、更に中間コンテナ８に伸びる上昇管１４に連結されると共に、統合して形成される。
【００１７】
調合室４の底部１３は、中間コンテナ８の底部９から離れた位置にある、中間コンテナ８の開口側１５を閉じる。図示される実施形態では、調合室４と中間コンテナ８は統合して形成される。調合室４の底部１３を形成し、調合部材３と上昇管１４を支持する構成要素１６は、ここでは構成要素１６の周囲にある端部１７と、結合した調合室４と中間コンテナ８の肩部１９上の突起部１８によって固定的に閉められる。
【００１８】
中間コンテナ８は、コンテナ２の首部２２によって定義される肩部２１上の端部２０で支持されている。この首部２２は、調合室４の内側と流体で連結した放出口２３を具備している。
【００１９】
制御部材６は、首部２２の上端部２５の周囲に固定され、調合室４を閉じるカバー２４に掛けられている。図示される実施形態では、制御部材６は分離した構成要素の数を最小にするために、カバー２４と統合して形成される。カバー２４は、放出口２３を閉じるくちばし状の突起部２６を備えている。このくちばし状の閉じ部材２６と放出口２３は、放出口２３の端部にある開口部２８にある、くちばし２６上の突起部２７の形式で子供を保護するための施錠手段を具備している。施錠は、くちばし状の閉じ部材２６の上側にあるふち２９を、カバー２４の周囲を回転する方向に移動させることによって解除される。
【００２０】
カバー２４と調合室４は更にこの実施形態では、調合室４に対して相対的に回転可能なカバー２４の位置によって、互いに接触することで停止させる停止部材３０、３１を具備している。カバー２４上の停止部材３０は、調合室４の内側に突き出る部分３２の端部を形成しており、一方、調合室４に設けられた停止部材３１は、その内側の壁面３３の円周方向に分布するようになっている。
【００２１】
調合装置１の操作は以下のようになっている。最初に使用する前に、調合装置１は一度ひっくり返しておく。これによって、流体がコンテナ２から中間コンテナ８に流出する。使用中は、カバー２４はふち２９を操作することで先ず施錠が解除され、それから互いの接触によって停止させる停止部材３０、３１によって指示される所望の調合位置まで回転される。例えば記しを付ける等の異なる調合位置の視覚的な指示は、調合装置１及び／或いはコンテナ２の外側に設けるようにしても良い。
【００２２】
それからコンテナは圧搾されると、それによってコンテナ２と中間コンテナ８内の圧力は上昇し、流体が中間コンテナ８から上昇管１４及び溝状の制御口７を通って、その時点において制御口７に位置が合っている調合部材３の放出口５に運ばれる。このように、コンテナ２が圧搾されている間は、流体は放出口５を通して調合室４に流れる。調合室４に達する流体の最大量は、底部９から少し離れた位置にある空出口１１が境界となっている中間コンテナ８の有効体積によって制限される。
【００２３】
コンテナ２が開放されると、圧力の低下が起こり、それによって流体が調合室４から中間コンテナ８へ吸い戻される。この吸い戻しは、調合室４内の液体の高さが放出口５まで下がったことを示す、空気が放出口５を通して吸い込まれるまで継続する。それからコンテナ２がひっくり返されると、それによって流体は調合室４から放出口２３を通して調合される。コンテナ２がこの体制にある場合、同時に、流体は充足口１２を通して中間コンテナ８に流れる。再度コンテナ２を直立させると、流体の高さが空出口１１の下に低下するまで、流体は再度中間コンテナから空出口１１を通して流出する。この開口部１１の下の中間コンテナ８の体積が有効体積であり、調合室４の体積より大きくならないようにする。
【００２４】
このようにして構造上簡単であり、容量超過による調合室からの流体の流出の危険無しで、正確に所望の量の流体を調合することができる調合装置が得られる。
【００２５】
本発明が実施形態を基に明示されたが、本発明はその実施形態に限定されることなく、特許請求の範囲に記載された範囲内で変更することができる。
【図面の簡単な説明】
【００２６】
【図１】本発明に係る調合装置の閉じられている最初の体勢を模式的に表した斜視図である。
【図２】調合装置を開いて、使用できる体勢にした場合の図１に対応する斜視図である。
【図３】閉じられた最初の状態にある場合の、図１及び図２に示された調合装置の調合構造を示す縦断面図である。
【図４】図２の開いた体勢における調合装置の、図３に対応する縦断面図である。
【図５】調合室からの流体の調合を行っているときの、調合装置の縦断面図である。
【図６】中間コンテナを部分的に空にした場合の、図５に対応する図である。
【図７】調合部材と上昇管に統合されている、調合室の底部の斜視上面図。
【図８】調合室を閉じ、制御部材と統合したカバーの斜視下面図。
【図９】カップ状の中間コンテナの断面斜視図である。
【符号の説明】
【００２７】
１                              調合装置
２                              コンテナ
３                              調合部材
４                              調合室
５                              放出口
６                              制御部材
７                              制御口
８                              中間コンテナ
９                              底部
１０                            側壁
１１                            空出口
１２                            充足口
１３                            底部
１４                            上昇管
１５                            開口側
１６                            調合室４の底部１３を形成する構成要素
１７                            周囲にある端部
１８                            突起部
１９                            肩部
２０                            周囲にある端部
２１                            肩部
２２                            首部
２３                            放出口
２４                            カバー
２５                            上端部
２６                            くちばし状の閉じ部材
２７                            突起部
２８                            開口部
２９                            ふち
３０、３１                      停止部材
３２                            突き出る部分
３３                            内側の壁面
【図１】
2009526712.tif 000003
【図２】
2009526712.tif 000004
【図３】
2009526712.tif 000005
【図４】
2009526712.tif 000006
【図５】
2009526712.tif 000007
【図６】
2009526712.tif 000008
【図７】
2009526712.tif 000009
【図８】
2009526712.tif 000010
【図９】
2009526712.tif 000011
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
コンテナ（２）からの流体の量を調合する装置（１）であり、
前記コンテナ（２）と流体で連結すると共に、調合室（４）に放出する少なくとも１つの放出口（５）を具備した調合部材（３）と、
前記調合部材（３）と流動性緊密に連結すると共に、少なくとも１つの制御口（７）を具備した制御部材（６）とから成り、
異なる調合を定義するために前記放出口（５）と前記制御口（７）の位置を相互に合わせて配置するために、前記調合部材（３）と前記制御部材（６）は互いに関して変位可能で、特に回転可能である流体の調合装置（１）であって、
前記調合室（４）と前記コンテナ（２）の間には中間コンテナ（８）が設置され、前記中間コンテナ（８）は大きくてせいぜい前記調合室（４）の体積に等しい保持容量を有し、前記コンテナ（２）と前記調合部材（３）の間に配置されると共に、前記コンテナ（２）と前記調合部材（３）を流体で連結していることを特徴とする調合装置（１）。
【請求項２】
前記中間コンテナ（８）はカップ状の形状をしており、底部（９）と前記底部（９）から伸びる少なくとも１つの側壁（１０）を具備し、前記側壁（１０）には前記保持容量に境界をつける少なくとも１つの空出口（１１）が形成されている請求項１に記載の調合装置（１）。
【請求項３】
前記中間コンテナ（８）の前記側壁（１０）には少なくとも一つの充足口（１２）が形成され、前記充足口（１２）は前記底部（９）からの距離が前記空出口（１１）より離れた位置に設置されている請求項２に記載の調合装置（１）。
【請求項４】
前記調合部材（３）は前記調合室（４）の底部（１３）に固定され、前記制御部材（６）は前記調合室（４）に回転可能に収容されていることを特徴とする請求項１乃至３のいずれかに記載の調合装置（１）。
【請求項５】
前記調合部材（３）が前記調合室（４）の前記底部（１３）に統合して形成される請求項４に記載の調合装置（１）。
【請求項６】
前記調合部材（３）が前記中間コンテナ（８）において伸びる上昇管（１４）に連結している請求項１乃至５のいずれかに記載の調合装置（１）。
【請求項７】
前記上昇管（１４）が前記調合室（４）の前記底部（１３）及び前記調合部材（３）に統合して形成されている請求項５又は６に記載の調合装置（１）。
【請求項８】
前記調合室（４）の前記底部（１３）は、前記中間コンテナ（８）の前記底部（９）から離れた前記中間コンテナ（８）の開口側（１５）を閉じるようになっている請求項４乃至７のいずれかに記載の調合装置（１）。
【請求項９】
前記調合室（４）と前記中間コンテナ（８）が統合して形成される請求項４乃至８のいずれかに記載の調合装置（１）。
【請求項１０】
前記制御部材（６）は、前記調合室（４）を少なくとも部分的に閉じるカバー（２４）に連結されている請求項１乃至９のいずれかに記載の調合装置（１）。
【請求項１１】
前記制御部材（６）は前記カバー（２４）に統合して形成される請求項１０に記載の調合装置（１）。
【請求項１２】
前記調合室（４）は少なくとも１つの放出口（２３）を具備し、前記カバー（２４）は前記放出口（２３）を閉じるための手段（２６）を保持している請求項１０又は１１に記載の調合装置（１）。
【請求項１３】
前記カバー（２４）と前記調合室（４）は、互いに作用して（２７、２８）前記調合装置（１）の子供を保護するための施錠手段を具備している請求項１２に記載の調合装置（１）。
【請求項１４】
前記カバー（２４）と前記調合室（４）は、少なくとも１つの調合位置を指示するようになっている、互いの作用で停止する停止部材（３０、３１）を具備している請求項１０乃至１３のいずれかに記載の調合装置（１）。
【国際調査報告】
2009526712.tif 000012
2009526712.tif 000013
2009526712.tif 000014